(57)【要約】  本発明は機能性帽子に関するもので、より詳しくは、帽子のつばを多段に折り曲げて上部にあげるようにして、機能性と見掛けを向上させることができ、二段つばに形成される時、第２つばを多段に折り曲げることができて、第１つばに形成された通風口に光が直接に照らさなく、前記通風口を形成する時、十分な視界を確保することができるように形成されて、かぶり心地が優れた機能性帽子に関するものである。【選択図】図１
2015506418.tif 000002
【特許請求の範囲】
【請求項１】
本体とつばとで形成される一般的な帽子において、
前記つばは内部に少なくとも２つの切開線が形成された折曲板材が形成され、前記折曲板材の後方下端に芯材が形成され、
表は布で囲んで形成されることを特徴とする機能性帽子。
【請求項２】
前記芯材は、合成樹脂材を発泡して厚く形成され、
折曲板材の厚さに比べて少なくとも２倍に厚く形成されることを特徴とする請求項１に記載の機能性帽子。
【請求項３】
本体とつばとで形成され、前記つばは第１つば及び第２つばに分けて形成される一般的な帽子において、
前記第１つばには通風口が形成され、前記第２つばは通風口を覆うことができるように構成され、
前記第２つばは内部に少なくとも２つの切開線が形成された折曲板材が形成され、前記折曲板材の後方下端には芯材が形成され、
表は布で囲んで形成されることを特徴とする機能性帽子。
【請求項４】
前記芯材は合成樹脂材を発泡して厚く形成され、
折曲板材の厚さに比べて少なくとも２倍に厚く形成されることを特徴とする請求項３に記載の機能性帽子。
【請求項５】
前記芯材は折曲板材の後方端部の第一切開線の部分まで形成されることを特徴とする請求項１または３に記載の機能性帽子。
【請求項６】
前記第１つばまたは第２つばは内部に芯材が付着された折曲パネルを挿入し、
布で表を囲んだ状態で周縁部を返し縫いし、切開線に沿って返し縫いをして折曲線を形成することを特徴とする請求項１または３に記載の機能性帽子。
【発明の詳細な説明】
【技術分野】
【０００１】
本発明は機能性帽子に関し、より詳しくは、帽子のつばを多段に折り曲げて上部にあげることができるようにして、機能性と見掛けを向上させることができ、２段つばに形成する時、第２つばを多段に折ることができて、第１つばに形成された通風口を通じて直射日光が直接に照らさないとともに、上記通風口を着用者が十分に視界を確保することができるように形成して、かぶり心地の優れる機能性帽子に関するものである。
【背景技術】
【０００２】
帽子は紫外線を遮断したり、保温のために頭に被ることができるように形成されたもので、頭を囲むクラウン（帽子の山）を中心に四方あるいは前方につばが形成されるか、つばなしに形成されるものなど多様な種類が提供されている。
【０００３】
最近には、帽子は単純に機能性のために着用しないで、自分だけのおしゃれを創出するための手段として用いられるなど多様に活用されている。
【０００４】
従来のつばが形成された帽子（ｃａｐ）は、風が吹くと、つばの下側から上方へ押し上げる力のために容易に脱がれ、つばの下側に顔で発生する熱気が集まって、額部分が暑くなるなどの問題点があった。
【０００５】
このような問題点を克服するために、帽子のつばに通風口を形成したり、通風口を阻むために２段つばを形成するなどの技術が開発された。
【０００６】
上記従来の２段つばが形成された帽子に関する技術は、大韓民国特許庁登録実用新案第２３４２４０号公報及び同第０４５７０２５号公報などに開示された。
【０００７】
最近には、つばのある帽子を格好よく着用するために、つばを上部へ折り曲げて着用したり、つばの下部に文字やロゴを刻んで、上部に折り上げた時文字やロゴが見えるようにして着用したりする。
【発明の概要】
【発明が解決しようとする課題】
【０００８】
しかし、従来のつばが形成された帽子は次のような問題点があった。
【０００９】
（１）おしゃれのために、つばを上へ無理に折り上げて着用すると、額部分を囲む本体が変形し、額部分を圧迫して、かぶり心地が良くない。
また、帽子のつばが二段に形成された二段つばが形成された帽子の場合には、
（２）風が強い場合、第２つばが翻ってかぶり心地が悪くなる。
（３）第２つばを斜めに持ち上げるため、通風口を通じて直射日光に照らされる。
（４）第１つばまたは第２つばが着用者の前方及び左右視界を遮るので、視界を確保するためには、首を動かさなければならないという不便がある。
（５）第２つばが帽子の本体の前方に直接に接触して形成されるため、第２つばを持ち上げる場合、本体の形態も変わって、かぶり心地が劣るという問題点がある。
【課題を解決するための手段】
【００１０】
上記問題点を解決するために、本発明は本体とつばとが形成される一般的な帽子において、上記つばは内部に複数の切開部が形成された折曲板材が形成され、上記折曲板材の後方下端に芯材が形成され、表は布で囲んで、周縁部と切開部部分に返し縫いをして形成されることを特徴とする。
【００１１】
また、本発明は本体とつばとが形成され、上記つばは第１つば及び第２つばに分けられて形成される一般的な帽子において、上記第１つばには通風口が形成され、上記第２つばは通風口を覆うことができるように、第１つばの上端部に構成され、上記第１つばは本体の前方に突出して形成され、本体と接触する部分から所定の距離離隔されるように楕円形の通風口が切開されて形成され、上記第２つばは内部に複数の折曲線が形成された折曲板材が形成され、上記折曲板材の後方下端には芯材が形成されることを特徴とする。
【発明の効果】
【００１２】
本発明の機能性帽子によれば次のような効果を奏する。
【００１３】
（１）おしゃれのために、つばを上端に折り上げる時、芯材によってつばの後方端部と本体が接触する部分で形状が変わらないので、かぶり心地がよく、多段に折ることができて、より素敵に演出することができる。
また、帽子のつばが二段に形成された二段つばが形成された帽子の場合には、
（２）風が強く吹いても、第２つばが芯材によって堅固に支持されるので、揺れることが少なくてかぶり心地が良い。
（３）第２つばを第１つばと水平に折り上げることができるので、通風口を通じても直射日光が直接に照らすことがない。
（４）第１つばの通風口が前方及び左右視界を充分に確保することができるように流線形に切開されるので、着用者の視界が充分に確保されて便利である。
（５）第２つばが帽子の本体の前方に芯材と一緒に固定されるので、第２つばを折り上げても芯材によって本体の形態が全く変わらないので、かぶり心地が良い。
【図面の簡単な説明】
【００１４】
【図１】本発明の好ましい実施例に形成された機能性帽子を着用した状態の側面写真である。
【図２】本発明の好ましい実施例に形成された機能性帽子のつばまたは第２つばの内部に含まれた折曲板材を示した斜視図である。
【図３】本発明の好ましい実施例に形成された機能性帽子を着用した状態で折曲線を中心につばを折り曲げた側面状態写真である。
【図４】本発明の好ましい実施例に形成された機能性帽子の中で二段つばに形成された第２つばを折り曲げた状態の着用状態写真である。
【図５】本発明の好ましい実施例に形成された機能性帽子の中でサンバイザーの第１つばに形成された通風口を通じる視界確保状態を示した概念図である。
【図６】本発明の好ましい実施例に形成された機能性帽子の中でサンバイザーの着用状態写真である。
【図７】本発明の好ましい実施例に形成された機能性帽子のつばの概略断面図である。
【発明を実施するための形態】
【００１５】
本発明は、本体１００とつば２００とで形成される一般的な帽子において、上記つば２００は内部に複数の切開線３１０が形成された折曲板材３００が形成され、上記折曲板材３００の後方下端に芯材３２０が形成され、表は布で囲んで、周縁部と折曲板材３００の切開線３１０の部分に外部で返し縫いをした折曲線２２２が形成される。
【００１６】
上記つば２００は折曲板材３００によって折曲線２２２の位置で各部位を折り曲げると、折曲線２２２の数だけ角度を異なるようにして折ることができる。
【００１７】
上記折曲板材３００は複数の切開線３１０が形成され、上記切開線３１０は前方に突出した流線形態に切開される。
【００１８】
上記切開線３１０は折曲板材３００のほぼ端部まで形成され、布で表を囲んだ後、返し縫いする時、切開線３１０を貫通するように返し縫いをする。
【００１９】
上記折曲板材３００のＡ部分（図２を参照）の下端には芯材３２０が付着され、上記芯材３２０は合成樹脂材を発泡して厚く形成し、折曲板材３００に比べて厚さが少なくとも２倍以上厚く形成される。
【００２０】
上記芯材３２０は折曲板材３００の後方の下端に第一切開線３１０まで幅一杯に付着されるように形成される。
【００２１】
上記芯材３２０は、合成樹脂材を発泡して厚く形成したもので、折曲板材３００の厚さの少なくとも２倍に形成して、つば２００の後方を堅固に支持するように形成される。
【００２２】
上記芯材３２０によってつば２００を折り曲げても本体１００の下端周縁部には全く変化を与えないので、着用者の額部分を圧迫しなくて、かぶり心地が良い。
【００２３】
図３は本発明の機能性帽子を着用した状態で、第一折曲線２２２を中心に上部に折り曲げて着用した状態を示し、図４は第２つば２１０を第一折曲線２２２を中心に上部に折り曲げた状態（図４の（２））と第二折曲線２２２を中心に前方にさらに折り曲げた状態（図４の（３））とを示す着用写真である。
【００２４】
また、本発明は、本体１００とつば２００とが形成され、上記つば２００は第１つば２１０及び第２つば２２０に分けて形成される一般的な帽子において、上記第１つば２１０には通風口２１５が形成され、上記第２つば２２０は通風口２１５を覆うことができるように構成され、上記第１つば２１０は本体１００の前方に突出して形成され、本体１００と接触する部分で所定距離離隔されるように通風口２１５が切開されて形成され、上記第２つば２２０は内部に複数の切開線３１０が形成された折曲板材３００が形成され、上記折曲板材３００の後方下端には芯材３２０が形成される。
【００２５】
上記芯材３２０は合成樹脂材を発泡して厚く形成したもので、折曲板材３００の厚さの少なくとも２倍に形成して、第２つば２２０の後方を堅固に支持するように形成される。
【００２６】
上記芯材３２０によって第２つば２２０を折っても本体１００の下端周縁部には全く変化を与えないので、着用者の額部分を圧迫しなくて、かぶり心地が良い。
【００２７】
上記本体１００は頭を完全に取り囲まないで、バンド形状に形成されるか、頭を完全に囲むことができるように形成されることができる。
【００２８】
上記つば２００は第１つば２１０及び第２つば２２０に分けて形成され、第１つば２１０には通風口２１５が形成される。
【００２９】
上記第１つば２１０の通風口２１０は図５のように、平面で見る時眼帯形状に形成され、両側面が半円状に切開されて、着用者の左右視界が充分に確保されることができるように形成される。
【００３０】
本体１００がバンド形状に形成され、遮光のためのサンバイザー（ｓｕｎ  ｖｉｓｏｒ）形態の帽子の場合に、上記第１つば２１０の通風口２１０は本体１００の前方で最小１０ｍｍ以上離れた位置で形成されることが好ましい。
【００３１】
上記第２つば２２０は第１つば１００の上端に位置し、通風口２１５の大きさより大きく形成されて、通風口２１５の上端を覆うことができるように形成され、芯材３２０が形成された部分が本体１００の前方に固定されるように形成される。
【００３２】
即ち、第１つば２１０の後方端部が本体１００と接触する部分を除いて、第２つば２２０の芯材３２０の側面が第１つば２１０の後方部分だけ切断されて、本体１００の前方と結合されて形成される。
【００３３】
上記通風口２１５は楕円形に形成されて、側面の視界を充分確保することができるように形成される。
【００３４】
上記第１つば２１０は芯材３２０が位置する部分を除いて、前方に突出された「⊂」字状に形成されることができる。
【００３５】
上記第２つば２２０は少なくとも２つの折曲線２２２が形成され、上記折曲線２２２は内部に挿入される折曲パネル３００に形成された切開線３１０に沿って返し縫いをした部分である。
【００３６】
上記第２つば２２０は内部に芯材３２０が付着された折曲パネル３００を挿入し、布で表を囲んだ状態で周縁部を返し縫いし、切開線３１０に沿って返し縫いをして折曲線２２２を形成する。
【００３７】
以下、本発明の好ましい実施例で形成された機能性帽子の作動及び使用方法を説明すれば次の通りである。
【００３８】
上記本体１００を利用して帽子を頭に被って、つば２００を所望の角度に折り曲げる。
【００３９】
この時、第一折曲線２２２を中心に折り曲げると、つば２００の残りの広い面積が前方に見える。第二折曲線２２２を中心に前方に折り曲げると、幾何学的形状に折り曲げられるなど着用者の好みによって多様に折り曲げて着用することができる。
【００４０】
上記２段つばが形成された帽子を着用して、第２つば２１０を図４のように第一折曲線２２２を上端に一回、第二折曲線２２２を前方にさらに一回折り曲げると、通風口２１５を通じて着用者の視界が充分確保されることができる。
【００４１】
上記のように、本発明の機能性帽子によれば、おしゃれのために、つばを上端に折り上げる時、芯材によってつばの端部と本体が接触する部分で形状が変わらないので、着用が楽で、多段に折り曲げることができて、より素敵に演出することができる。
【００４２】
また、帽子のつばが二段に形成された二段つばが形成された帽子の場合には、風が強く吹いても第２つばが芯材によって堅固に支持されるので、揺れることが少なくてかぶり心地がよく、第２つばを第１つばと水平に折り曲げて上げることができるので、通風口を通じて直射日光が直接に照らすことがなく、第１つばの通風口が前方及び左右視界を充分に確保することができるように流線形に切開されて、着用者の視界が充分に確保されて便利であり、第２つばが帽子の本体の前方に芯材と一緒に固定されるので、第２つばを折り曲げて上げても芯材によって本体の形態が全く変わらなくて、かぶり心地が良いなどの効果を奏する。
【００４３】
本発明は添付された図面を通じて好ましい実施例を中心に記述されたが、当業者であればこのような記載から後述する特許請求の範囲によって包括される本発明の範疇を逸脱することなしに多様な変形が可能であることは明白である。
【図２】
2015506418.tif 000003
【図５】
2015506418.tif 000004
【図７】
2015506418.tif 000005
【図１】
2015506418.tif 000006
【図３】
2015506418.tif 000007
【図４】
2015506418.tif 000008
【図６】
2015506418.tif 000009
【国際調査報告】
2015506418.tif 000010
2015506418.tif 000011
2015506418.tif 000012
2015506418.tif 000013